(57)【要約】【課題】防虫の他に、防犯、プライバシー保護のための目隠し、通風、採光の機能を併せて持つ網戸を提供することを目的とする。【解決手段】既設網戸の屋外側に別体の遮蔽部材を設けてなる網戸とした。【選択図】  図１
2004156204.tif 000002
【特許請求の範囲】
【請求項１】
既設網戸の屋外側に別体の遮蔽部材を設けてなる網戸。
【請求項２】
網戸の屋外側に遮蔽部材を一体として設けてなる網戸。
【発明の詳細な説明】
【０００１】
【発明の属する技術分野】
本発明は、網戸に関し、特に、防虫の他に、防犯、プライバシー保護のための目隠し、通風、採光の機能を併せて持たせようとするものである。
【０００２】
【従来の技術】
網戸は、防虫の機能を有するが、防犯、プライバシー保護のための機能は有しない。
【０００３】
【発明が解決しようとする課題】
網戸に、防虫の他に、防犯、プライバシー保護のための目隠し、通風、採光の機能を併せて持たせようとするものである。
【０００４】
【課題を解決するための手段】
そこで、本発明は、上記の事情に鑑み、防虫の他に、防犯、プライバシー保護のための目隠し、通風、採光の機能を併せて持たせるようにすべく、既設網戸の屋外側に別体の遮蔽部材を設けてなる網戸とした。
【０００５】
また、本発明は、防虫の他に、防犯、プライバシー保護のための目隠し、通風、採光の機能を併せて持たせるようにすべく、網戸の屋外側に遮蔽部材を一体として設けてなる網戸とした。
【０００６】
【発明の実施の態様】
本発明を、添付する図面に示す具体的な実施例に基づいて、以下詳細に説明する。
【０００７】
まず、既設網戸の屋外側に別体の遮蔽部材を設けてなる網戸について説明する。
【０００８】
遮蔽部材としては、固定ルーバー、格子、回動ルーバーなどがある。
【０００９】
図１〜図４は、遮蔽部材として回動ルーバーを用いた例について説明する。
【００１０】
図１において、図に向かって左側が屋外側、右側が屋内側である。
【００１１】
図１・図２において、建物の窓にはガラス戸１・ガラス戸２が摺動自在に設けられ、その外側に既設網戸３が摺動自在に設けられている。この既設網戸３の外側に回動ルーバー４がビス７あるいは接着剤又は粘着テープにより固着される。
ガラス戸２の外側に既設網戸３を摺動自在に設ける。この既設網戸３の外側で回動ルーバー４は、図１・図２に示すように、ガラス戸１・２の外側に配設する。
【００１２】
回動ルーバー４は、図３・図４に示すように、四角枠状の縦枠材５と横枠材６とを連結し、その縦枠材５・横枠材６内に回動ルーバー８を多数個上下方向に配置する。符号９は回動ダイヤルで、符号１０はビス取付孔である。
【００１３】
既設網戸３の外側に回動ルーバー４を固着すると、防犯、プライバシー保護のための目隠しの機能を果たす。
【００１４】
図５〜図８は、遮蔽部材として固定ルーバーを用いた例について説明する。
【００１５】
図５において、図に向かって左側が屋外側、右側が屋内側である。
【００１６】
図５・図６において、建物の窓にはガラス戸１１・ガラス戸１２が摺動自在に設けられ、その外側に既設網戸１３が摺動自在に設けられている。この既設網戸１３の外側に固定ルーバー１４がビス１７あるいは接着剤又は粘着テープにより固着される。ガラス戸１２の外側に既設網戸１３を摺動自在に設ける。この既設網戸１３の外側で固定ルーバー１４は、図５・図６に示すように、ガラス戸１１・１２の外側に配設する。
【００１７】
固定ルーバー１４は、図７・図８に示すように、四角枠状の縦枠材１５と横枠材１６とを連結し、その縦枠材１５・横枠材１６内に固定ルーバー１８を複数個上下方向に配置する。符号１９はスペーサー、符号２０はビス取付孔である。
【００１８】
既設網戸１３の外側に固定ルーバー１４を固着すると、防犯、プライバシー保護のための目隠し、通風、採光の機能を果たす。
【００１９】
図９〜図１２には、遮蔽部材として格子を用いた例について述べる。
【００２０】
図９において、図に向かって左側が屋外側、右側が屋内側である。
【００２１】
図９・図１０において、建物の窓にはガラス戸２１・ガラス戸２２が摺動自在に設けられ、その外側に既設網戸２３が摺動自在に設けられている。この既設網戸２３の外側に格子２４がビス２７あるいは接着剤又は粘着テープにより固着される。ガラス戸２２の外側に既設網戸２３を摺動自在に設ける。この既設網戸２３の外側に、格子２４は、図９・図１０に示すように、ガラス戸２１・２２の外側に配設する。  格子２４は、図１１・図１２に示すように、複数個の格子２５で上下の継板２６を連結する。符号３０はビス取付孔である。
【００２２】
既設網戸２３の外側に格子２４を固着すると、防犯、通風、採光の機能を果たす。
【００２３】
図１３〜図１７は、遮蔽部材として回動ルーバーを用いた例について説明する。
【００２４】
図１３において、図に向かって左側が屋外側、右側が屋内側である。
【００２５】
図１３・図１４において、建物の窓にはガラス戸３１・ガラス戸３２が摺動自在に設けられ、その外側に既設網戸３３が摺動自在に設けられている。この既設網戸３３の外側に回動ルーバー３４がビス３７あるいは接着剤又は粘着テープにより固着される。ガラス戸３２の外側に既設網戸３３を摺動自在に設ける。この既設網戸３３の外側に回動ルーバー３４は、図１３・図１４に示すように、ガラス戸３１・３２の外側に配設する。
【００２６】
回動ルーバー３４は、図１５・図１６に示すように、四角枠状の縦枠材３５と横枠材３６とを連結し、その縦枠材３５・横枠材３６内に回動ルーバー３８を複数個左右方向に配置する。この回動ルーバー３８は回動ダイヤル３９により開閉する。符号４０はビス取付孔である。
【００２７】
既設網戸３３の外側に回動ルーバー３４を固着すると、防犯、通風、採光の機能を果たす。
【００２８】
次に、網戸の屋外側に別体の遮蔽部材を設けてなる網戸について説明する。
【００２９】
遮蔽部材としては、ルーバー、固定ルーバー、格子、回動ルーバーなどがある。
【００３０】
図１８〜図２０は、遮蔽部材としてルーバーを用いた例について説明する。
【００３１】
図１８において、図に向かって左側が屋外側、右側が屋内側である。
【００３２】
図１８・図１９において、建物の窓にはガラス戸４１・ガラス戸４２が摺動自在に設けられ、その外側に網戸４３が摺動自在に設けられている。この網戸４３の内面に防虫ネット４４を張り付ける。
【００３３】
網戸４３は、図２０・図２１に示すように、四角枠状の縦枠材４５と横枠材４６とを連結し、その縦枠材４５・横枠材４６内に回動ルーバー４８を多数個上下方向に配置する。符号４９は回動ダイヤルである。
【００３４】
網戸４３にルーバーを一体的に設けると、防犯、プライバシー保護のための目隠しの機能を果たす。
【００３５】
図２２〜図２５は、遮蔽部材として固定ルーバーを用いた例について説明する。
【００３６】
図２２において、図に向かって左側が屋外側、右側が屋内側である。
【００３７】
図２２・図２３において、建物の窓にはガラス戸５１・ガラス戸５２が摺動自在に設けられ、その外側に網戸５３が摺動自在に設けられている。この網戸５３の内面に防虫ネット５４を張り付ける。
【００３８】
網戸５３は、図２４・図２５に示すように、四角枠状の縦枠材５５と横枠材５６とを連結し、その縦枠材５５・横枠材５６内に固定ルーバー５８を複数個上下方向に配置する。符号５９はスペーサーである。
【００３９】
網戸５３に固定ルーバーを一体的に設けると、防犯、プライバシー保護のための目隠し、通風、採光の機能を果たす。
【００４０】
図２６〜図２９には、遮蔽部材として格子を用いた例について述べる。
【００４１】
図２６において、図に向かって左側が屋外側、右側が屋内側である。
【００４２】
図２６・図２７において、建物の窓にはガラス戸６１・ガラス戸６２が摺動自在に設けられ、その外側に網戸６３が摺動自在に設けられている。この網戸６３の内面に防虫ネット６４を張り付ける。
【００４３】
網戸６３は、図２８・図２９に示すように、複数個の格子６５で上下の継板６６を連結する。
【００４４】
網戸６３に格子を一体的に設けると、防犯、通風、採光の機能を果たす。
【００４５】
図３０〜図３４は、遮蔽部材として回動ルーバーを用いた例について説明する。
【００４６】
図３０において、図に向かって左側が屋外側、右側が屋内側である。
【００４７】
図３０・図３１において、建物の窓にはガラス戸７１・ガラス戸７２が摺動自在に設けられ、その外側に網戸７３が摺動自在に設けられている。この網戸７３の内側に防虫ネット７４を張り付ける。
【００４８】
網戸７３は、図３２・図３３に示すように、四角枠状の縦枠材７５と横枠材７６とを連結し、その縦枠材７５・横枠材７６内に回動ルーバー７８を複数個左右方向に配置する。この回動ルーバー７８は回動ダイヤル７９により回動する。
【００４９】
網戸７３に回動ルーバーを一体的に設けると、防犯、通風、採光の機能を果たす。
【００５０】
【発明の効果】
本発明は、上述のように、既設網戸の屋外側に別体の遮蔽部材を設けてなる網戸としたので、防虫の他に、防犯、プライバシー保護のための目隠し、通風、採光の機能を併せて持たせることができる。
【００５１】
また、本発明は、網戸の屋外側に遮蔽部材を一体として設けてなる網戸としたので、防虫の他に、防犯、プライバシー保護のための目隠し、通風、採光の機能を併せて持たせることができる。
【図面の簡単な説明】
【図１】本発明の既設網戸に別体のルーバーを取付けた網戸の具体的一実施例の縦断面図である。
【図２】図１の横断面図である。
【図３】図１のルーバーの外観図である。
【図４】図１のルーバーの内観図である。
【図５】本発明の既設網戸に別体の固定ルーバーを取付けた網戸の具体的一実施例の縦断面図である。
【図６】図５の横断面図である。
【図７】図５の固定ルーバーの外観図である。
【図８】図５の固定ルーバーの内観図である。
【図９】本発明の既設網戸に別体の格子を取付けた網戸の具体的一実施例の縦断面図である。
【図１０】図９の横断面図である。
【図１１】図９の格子の外観図である。
【図１２】図９の格子の内観図である。
【図１３】本発明の既設網戸に別体の回動ルーバーを取付けた網戸の具体的一実施例の縦断面図である。
【図１４】図１３の横断面図である。
【図１５】図１３の回動ルーバーの外観図である。
【図１６】図１３の回動ルーバーの内観図である。
【図１７】図１３の回動ルーバーと回動ダイヤルとの関係を示す側面図である。
【図１８】本発明の網戸にルーバーを一体として取付けた網戸の具体的一実施例の縦断面図である。
【図１９】図１８の横断面図である。
【図２０】図１８のルーバーの外観図である。
【図２１】図１８のルーバーの内観図である。
【図２２】本発明の網戸に固定ルーバーを一体として取付けた網戸の具体的一実施例の縦断面図である。
【図２３】図２２の横断面図である。
【図２４】図２２の固定ルーバーの外観図である。
【図２５】図２２の固定ルーバーの内観図である。
【図２６】本発明の網戸に格子を一体として取付けた網戸の具体的一実施例の縦断面図である。
【図２７】図２６の横断面図である。
【図２８】図２６の格子の外観図である。
【図２９】図２６の格子の内観図である。
【図３０】本発明の網戸に回動ルーバーを一体として取付けた網戸の具体的一実施例の縦断面図である。
【図３１】図３０の横断面図である。
【図３２】図３０の回動ルーバーの外観図である。
【図３３】図３０の回動ルーバーの内観図である。
【図３４】図３０の回動ルーバーと回動ダイヤルとの関係を示す側面図である。
【符号の説明】
３・１３・２３・３３…既設網戸
４…ルーバー（遮蔽部材の例）
１４…固定ルーバー（遮蔽部材の例）
２４…格子（遮蔽部材の例）
３４…回動ルーバー（遮蔽部材の例）
４３・５３・６３・７３…網戸
【図１】
2004156204.tif 000003
【図２】
2004156204.tif 000004
【図３】
2004156204.tif 000005
【図４】
2004156204.tif 000006
【図５】
2004156204.tif 000007
【図６】
2004156204.tif 000008
【図７】
2004156204.tif 000009
【図８】
2004156204.tif 000010
【図９】
2004156204.tif 000011
【図１０】
2004156204.tif 000012
【図１１】
2004156204.tif 000013
【図１２】
2004156204.tif 000014
【図１３】
2004156204.tif 000015
【図１４】
2004156204.tif 000016
【図１５】
2004156204.tif 000017
【図１６】
2004156204.tif 000018
【図１７】
2004156204.tif 000019
【図１８】
2004156204.tif 000020
【図１９】
2004156204.tif 000021
【図２０】
2004156204.tif 000022
【図２１】
2004156204.tif 000023
【図２２】
2004156204.tif 000024
【図２３】
2004156204.tif 000025
【図２４】
2004156204.tif 000026
【図２５】
2004156204.tif 000027
【図２６】
2004156204.tif 000028
【図２７】
2004156204.tif 000029
【図２８】
2004156204.tif 000030
【図２９】
2004156204.tif 000031
【図３０】
2004156204.tif 000032
【図３１】
2004156204.tif 000033
【図３２】
2004156204.tif 000034
【図３３】
2004156204.tif 000035
【図３４】
2004156204.tif 000036